(57)【要約】【課題】  光コネクタアダプタなどのコネクタハウジングのコネクタ穴の奥側の被接続側光コネクタからの出射光をシャッターによって遮光する技術に関し、コネクタハウジングの大型化などの影響を与えること無く、シャッターを設置できる技術の開発が求められていた。【解決手段】  シャッター片３０付きのインナーハウジング１０３をハウジング本体１０２に組み込むだけで、コネクタハウジングを組み立てることができるシャッター付き光コネクタ１００（光コネクタアダプタ）を提供する。ハウジング本体の選択使用により、多種多様な光コネクタに対して優れた汎用性を確保できる。【選択図】  図１４
2005062580.tif 000002
【特許請求の範囲】
【請求項１】
ハウジング本体（１４、４１、１０２）と、該ハウジング本体に形成されているコネクタ穴（１４ａ、４６、１０２ａ）内に収容され、前記ハウジング本体の外側から光コネクタ（１６Ａ）が挿入、接続されるインナーハウジング（４２、５１、５１Ａ、５１Ｂ、１０３、１０３Ａ、１０３Ｂ）とによって構成されるコネクタハウジング（１５、４５ｈ、１０１）を有し、
前記インナーハウジングに形成されているコネクタ挿入穴（５１ｇ）に挿入した前記光コネクタが、前記コネクタ穴内にて被接続側光コネクタ（１６Ｂ、４８、４９）と接続されるように構成されており、
前記インナーハウジングは、前記被接続側光コネクタの先端に露出する光ファイバ（１９ａ）からの出射光を遮光する舌片状の前記シャッター片（３０、４０）が内部に組み込まれた構造であり、
前記シャッター片は、インナーハウジングへの前記光コネクタの挿入によって前記光コネクタの前記被接続側光コネクタに対する接続を可能とする待避位置（３２ｂ）へ押し倒されるようになっていることを特徴とするシャッター付き光コネクタ（１０、１００）。
【請求項２】
前記シャッター片が、前記インナーハウジングに固定された基端部（４０ｂ）と、この基端部から前記コネクタ挿入穴内に突出する遮光板部（４０ａ）とを有する板バネ状の部材であることを特徴とする請求項１記載のシャッター付き光コネクタ。
【請求項３】
前記インナーハウジングが、前記ハウジング本体の外側から前記ハウジング本体の前記コネクタ穴内に組み込めるようになっていることを特徴とする請求項１又は２記載のシャッター付き光コネクタ。
【請求項４】
前記コネクタハウジングが光コネクタアダプタを構成するものであり、
前記ハウジング本体は、前記コネクタ穴が貫通されたスリーブ状に形成され、しかも、前記コネクタ穴の軸方向両端の開口部（１４ｅ、１０２ｆ）の内の一方又は両方から、前記インナーハウジングを前記コネクタ穴へ押し込むようにして組み込めるようになっていることを特徴とする請求項１〜３のいずれかに記載のシャッター付き光コネクタ。
【請求項５】
前記ハウジング本体の内部には、前記光コネクタと前記被接続光コネクタとの接続位置付近にて、導電性を有する遮蔽壁（５２、１０２ｇ）が前記コネクタ穴を横切るようにして設けられており、前記遮蔽壁には、前記光コネクタ先端のフェルール及び／又は前記被接続側光コネクタ先端のフェルールが挿通可能な窓（５２ａ、１０２ｉ）が形成されていることを特徴とする請求項１〜４のいずれかに記載のシャッター付き光コネクタ。
【請求項６】
前記ハウジング本体は、導電性を有する材料によって形成されており、しかも、前記遮蔽壁との間の電気導通が確保されていることを特徴とする請求項５記載のシャッター付き光コネクタ。
【請求項７】
前記ハウジング本体が、前記遮蔽壁が一体に形成された１部品になっていることを特徴とする請求項６記載のシャッター付き光コネクタ。
【請求項８】
前記シャッター片は、導電性を有する材料によって形成されており、
前記コネクタハウジングに、該コネクタハウジングの外部のグランド用の導電性部材（１２）と前記シャッター片との電気導通を確保するための、電気導通用接続部が設けられていることを特徴とする請求項５〜７のいずれかに記載のシャッター付き光コネクタ。
【発明の詳細な説明】
【技術分野】
【０００１】
本発明は、光コネクタに係り、特に、光コネクタが挿入、接続されるコネクタハウジングにおいて、被接続側光コネクタからの出射光を遮光するシャッターが設けられているシャッター付き光コネクタおよびこのシャッター付きコネクタに用いられるシャッターユニットに関する。
【背景技術】
【０００２】
図１８に示すように、例えば、光コネクタアダプタ１のコネクタ穴２に光コネクタ３（光コネクタプラグ）を挿入して、光コネクタアダプタ１に逆側から挿入接続されている光コネクタ４（光コネクタプラグ。以下「アダプタ側光コネクタ」と称する場合がある）に対して接続する場合、アダプタ側光コネクタ４先端からの出射光Ｈが、挿入側の光コネクタ３を操作する作業者の目に入らないように防護したい要求がある。同様の要求は、例えば、光コネクタレセプタクルなどの各種コネクタハウジングに対する光コネクタの挿入、接続に共通に存在する。
前述の要求に鑑みて、例えば、光コネクタアダプタ１のコネクタ穴２の開口部付近に、コネクタ穴２を開閉する蓋を取り付け、アダプタ側光コネクタ４からの出遮光を遮光することが幾つか提案されている（例えば特許文献１、２参照）。
【特許文献１】特開平６−２０１９５３号公報
【特許文献２】特開２００２−２４３９７８号公報
【発明の開示】
【発明が解決しようとする課題】
【０００３】
しかしながら、前述の蓋による遮光には、以下のような問題があった。
（１）多くのものは、光コネクタの挿入時に手動で開放操作する必要があり、この操作の手間が面倒である。
（２）光コネクタアダプタに開閉自在に取り付けるための構成が複雑であり、多数の部品によって構成されるものが多く、コストが高くなる。この場合、小型化が困難であり、光コネクタアダプタの大幅な設計変更、大型化が必要となる。
（３）前記（２）のように小型化が困難なことから、光コネクタアダプタの多心化、コネクタ取付穴の高密度化、小型化に対応できない。
【０００４】
また、近年、電気、電子機器について電磁波シールド性能の要求が高まっており、筐体内部の電子部品などが外部の電磁波の影響を受けないように保護したり、機器からの電磁波の放射を防止して外部の他の電気、電子機器に電磁波の影響を与えないようにするために、導電性を有する金属製筐体など、電磁波シールド性能を有する筐体の採用が普及しているが、図１８〜図２０に例示するように、光コネクタアダプタ１を筐体５の取付壁６に取り付けるには、光コネクタアダプタ１を挿入可能な大きさのコネクタ取付穴７を取付壁６に形成する必要がある。また、光コネクタアダプタ１としてはプラスチック製のものが広く用いられており、このようなプラスチック製の光コネクタアダプタ１をコネクタ取付穴７に挿入して取付壁６に取り付けた場合、筐体５が電磁波シールド性能を有するものであっても、コネクタ取付穴７の電磁波シールド性能を確保することができない。これに鑑みて、光コネクタアダプタ１の外側に導電性のカバーを取り付けることが検討されている。
【０００５】
しかしながら、例えば、この導電性のカバーを光コネクタアダプタ１のコネクタ穴２の開口部付近にまで設けることは、光コネクタアダプタ１に対する光コネクタ３の接続作業性の確保の点で事実上不可能であるため、結局、コネクタ取付穴７の電磁波シールド性を確保できない。このため、機器の筐体などの取付壁に形成されたコネクタ取付穴の電磁波シールド（遮蔽）を効果的に実現できる技術の開発が求められていた。なお、この電磁波シールドの問題も光コネクタアダプタに限定されず、例えば、光コネクタレセプタクルなど、光コネクタプラグが挿入接続される構成の各種光コネクタについても、取り付けのために取付壁にコネクタ取付穴を形成する場合に共通して生じる。
【０００６】
本発明は、前記課題に鑑みて、
（ａ）遮光用のシャッターの小型化、低コスト化が容易で、しかも、取り付け位置精度、取り付け安定性も確保できる、
（ｂ）光コネクタ全体のサイズの小型化、高密度化（コネクタ取付穴の高密度化）を実現できる、
（ｃ）機器の筐体などの取付壁に形成されたコネクタ取付穴に位置決めして取り付けることで、コネクタ取付穴の電磁波シールド性の確保も容易に実現できる、
（ｄ）インナーハウジングをハウジング本体内に組み込むことで組み立てられる構成の光コネクタ（コネクタハウジング）へのシャッター片の実装を容易に実現できる、
シャッター付き光コネクタの提供を目的としている。
【課題を解決するための手段】
【０００７】
上記課題を解決するために、本発明では以下の構成を提供する。
本発明では、ハウジング本体と、該ハウジング本体に形成されているコネクタ穴内に収容され、前記ハウジング本体の外側から光コネクタが挿入、接続されるインナーハウジングとによって構成されるコネクタハウジングを有し、前記インナーハウジングに形成されているコネクタ挿入穴に挿入した前記光コネクタが、前記コネクタ穴内にて被接続側光コネクタと接続されるように構成されており、前記インナーハウジングは、前記被接続側光コネクタの先端に露出する光ファイバからの出射光を遮光する舌片状の前記シャッター片が内部に組み込まれた構造であり、前記シャッター片は、インナーハウジングへの前記光コネクタの挿入によって前記光コネクタの前記被接続側光コネクタに対する接続を可能とする待避位置へ押し倒されるようになっていることを特徴とするシャッター付き光コネクタを提供する。
【０００８】
この発明に係るシャッター付き光コネクタのコネクタハウジング（ハウジング本体にインナーハウジングを組み込んだもの）は、例えば、光コネクタアダプタのように、対向する両側から挿入、接続された光コネクタプラグ同士が内部で接続される構成のものや、コネクタ穴への光コネクタプラグの挿入によって光コネクタプラグと光接続される光コネクタ（光コネクタフェルールなど）を内蔵する光コネクタレセプタクル等、光コネクタプラグが挿入、接続されるコネクタ穴を有する光コネクタである。
【０００９】
シャッター片は、被接続側光コネクタからの出射光を遮光できる遮光性を有するものであり、コネクタ穴の軸方向に対して傾斜させて（傾斜角度９０度も含む）インナーハウジングから該インナーハウジングに形成されているコネクタ挿入穴に延出されることで、コネクタ穴内にて、コネクタハウジング内の被接続側光コネクタからの出射光を遮光可能に配置される。ただし、シャッター片は、少なくとも、被接続側光コネクタからの出射光を遮光する位置（以下、「遮光位置」とも言う。）に配置されるようになっていれば良く、コネクタ穴全体を確実に塞ぐ大きさである必要はない。すなわち、シャッター片は、少なくとも、被接続側光コネクタの先端に露出する光ファイバに対面する位置に配置されて、前記光ファイバからの出射光を遮光できるようになっていれば良い。出来るだけ小型のシャッター片を採用することで、コネクタハウジングの小型化に有利となる。また、小型のシャッター片であれば、遮光位置から待避位置に押し倒される際の可動領域が狭いため、例えば、シャッター片の変位を可能にするためにインナーハウジングのコネクタ挿入穴を大型化したり、コネクタ挿入穴内の突起（例えば、コネクタ挿入穴内に挿入した光コネクタを係止するための係合爪や、位置決め用の突起等）の設計に影響を与えるといった不都合も容易に回避できる。シャッター片が、前記インナーハウジングに固定された基端部と、この基端部から前記コネクタ挿入穴内に突出する遮光板部とを有する板バネ状の部材である構成を採用した場合は、非常に単純な構成であり、インナーハウジング内におけるシャッター片の収容スペース（特に、押し倒しによって待避位置に至ったときの収容スペース）も、非常に小さいもので済むか、あるいは、特別に確保する必要が無くなるため、この点でも、コネクタハウジングの小型化に有利である。
【００１０】
被接続側光コネクタとは、光コネクタアダプタ（コネクタハウジング）においては、コネクタ穴への光コネクタの挿入前に、先行してコネクタ穴に挿入されている光コネクタプラグのことを指し、コネクタ穴への光コネクタの挿入によって、コネクタ穴内で光コネクタと接続される。光コネクタレセプタクル（コネクタハウジング）においては、例えば、図１６（ａ）、（ｂ）に示すように、光コネクタレセプタクル４５ａ、４５ｂのコネクタハウジング４５ｈに組み込まれてコネクタ穴４６奥側（図１６（ａ）、（ｂ）右側）に配置され、コネクタ穴４６に挿入された光コネクタ４７が接続されるようになっている部分が被接続側光コネクタである。図１６（ａ）の光コネクタレセプタクル４５ａでは、ハウジング４５ｈと別体の光コネクタ４８であるが、これに限定されず、例えば図１６（ｂ）に示す光コネクタレセプタクル４５ｂのように、ハウジング４５ｈの一部をコネクタ状に成形した部分４９（この部分４９が被接続側光コネクタ）であっても良い。
【００１１】
本発明に係るシャッター付き光コネクタでは、ハウジング本体とインナーハウジングとによって構成されるコネクタハウジングにおいて、シャッター片（図１６（ａ）、（ｂ）では符号４０）は、インナーハウジングに取り付けられている。図１６（ａ）、（ｂ）では、符号４１がハウジング本体、符号４２がインナーハウジングである。
このような構成のシャッター付き光コネクタでは、シャッター片付きのインナーハウジングをハウジング本体に組み込むだけで、コネクタハウジング内にシャッター片を設けることができる。また、この構成であれば、インナーハウジングをハウジング本体から取り出した状態で、インナーハウジングに対するシャッター片の取付作業を効率良く行える利点がある。また、光コネクタの種類やサイズ等に対応して、インナーハウジングやシャッター片を選択使用するといったことも可能であり、光コネクタの種類やサイズ等に対応して汎用性を確保できる。
【００１２】
図１６（ａ）、（ｂ）に例示したシャッター付き光コネクタでは、インナーハウジングに取り付けられているシャッター片の、コネクタ挿入穴内に突出した部分が、被接続側光コネクタ先端に露出する光ファイバからの出射光を遮光する遮光板部（図１６（ａ）、（ｂ）では符号４１）として機能する。コネクタハウジングのコネクタ穴（具体的には、インナーハウジングのコネクタ挿入穴）に光コネクタを挿入していくと、シャッター片は、光コネクタがコネクタ当接部を押圧する押圧力によって、コネクタ穴内への突出量を減少するように押し倒されてゆき、被接続側光コネクタに対する光コネクタの接続作業の障害にならない。
シャッター片は、インナーハウジングに対して、取付具を介して取り付けられた構成であっても良いが、例えば、インナーハウジングに固定された基端部（図１６では、符号４０ｂ）と、この基端部から前記コネクタ挿入穴内に突出する遮光板部とを有する板バネ状の部材である構成を採用しても良く、この場合は、構成が単純であるため、シャッター付き光コネクタの低コスト化が容易になる。
【００１３】
本発明では、コネクタ穴から光コネクタが抜き去られたときに、シャッター片が遮光位置に復帰する構成を採用することが好ましい。この構成としては、例えば、シャッター片自体の弾性、あるいは、インナーハウジングに対する取付具に設けられているバネ等の付勢部材の付勢力によって、被接続側光コネクタから出射される出射光を遮光可能な位置（遮光位置）に復帰するようになっている構成などが採用可能である。
【００１４】
本発明に係るシャッター付き光コネクタでは、ハウジング本体内にインナーハウジングを収容するための構成として、各種構成を採用できる。例えば、一対のハウジング半体を一体化して組み立てられる半割り構造のハウジング本体を採用して、ハウジング半体における相手側のハウジング半体との接合部側から、ハウジング半体にインナーハウジングを挿入することで、ハウジング本体内にインナーハウジングを収容できるようになっている構成の他、前記インナーハウジングが、前記ハウジング本体の外側から前記ハウジング本体の前記コネクタ穴内に組み込めるようになっている構成も採用可能である。
さらに、前記コネクタハウジングが光コネクタアダプタを構成するものであり、前記ハウジング本体は、前記コネクタ穴が貫通されたスリーブ状に形成され、しかも、前記コネクタ穴の軸方向両端の開口部の内の一方又は両方から、前記インナーハウジングを前記コネクタ穴へ押し込むようにして組み込めるようになっている構成も採用可能である。
インナーハウジングをハウジング本体の外側から組み込めるようになっている構成であれば、取付壁等の取付対象物にコネクタハウジングを取り付けた後でも、ハウジング本体へのインナーハウジングの挿入、シャッター付き光コネクタの組み立てが可能であるといった利点がある。
【００１５】
本発明では、前記ハウジング本体の内部には、前記光コネクタと前記被接続光コネクタとの接続位置付近にて、導電性を有する遮蔽壁が前記コネクタ穴を横切るようにして設けられており、前記遮蔽壁には、前記光コネクタ先端のフェルール及び／又は前記被接続側光コネクタ先端のフェルールが挿通可能な窓が形成されている構成も採用可能である。
導電性を有する遮蔽壁とは、遮蔽壁自体が金属等の導電性を有する材料によって形成されている構成の他、例えば、導電性の塗膜やフィルム等からなる導電層が表面に形成されている構成等、各種構成を含む。
【００１６】
この構成のシャッター付き光コネクタは、例えば電気機器の筐体等の取付壁のコネクタ取付穴に位置決めして取付壁に取り付ける場合、遮蔽壁がコネクタ取付穴の電磁波シールド性を確保するための電磁波シールド部材として機能する。電磁波シールド性のより確実な確保の点では、遮蔽壁として、コネクタ取付穴を出来る限り広範囲にわたって塞ぐように配置できる寸法、形状のものを採用することが有利であることは言うまでも無い。また、この構成では、シャッター片など、より多くの部材について、導電性を有する部材を採用して、電磁波シールド部材として機能させることが、コネクタ取付穴の電磁波シールド性の確保の点でより好ましい。遮蔽壁は、例えば、取付壁に設けられている導電性の部材や、取付壁自体が導電性を有する場合にはこの取付壁自体をグランドとして電気的に接続することで、電磁波シールド機能を効果的に発揮する。電磁波シールド性能（導電性）を有する遮蔽壁としては、例えばステンレス等の導電性の金属板から形成したものや、カーボンフィラー等の電磁波シールド性を有する粉体を混入した合成樹脂によって成形したもの、板材等の基材に導電性の塗料（例えば、電磁波吸収作用を持つ磁性金属粉を混入したペースト等）を塗布したもの、導電性繊維（金属繊維等）からなる導電性布帛を板材に固定したものなど、各種構成が採用可能である。
【００１７】
シャッター付き光コネクタの構成部材の内、遮蔽壁以外の部材（ハウジング本体、インナーハウジング、シャッター片など）にも電磁波シールド性を有するものを採用する場合も、同様のものを採用できる。前記シャッター片が、導電性を有する材料によって形成されており、前記コネクタハウジングに、該コネクタハウジングの外部のグランド用の導電性部材と前記シャッター片との電気導通を確保するための、電気導通用接続部が設けられている構成を採用すれば、遮蔽壁の窓についての電磁波シールド性能を補うことができ、コネクタ穴、コネクタ取付穴の電磁波シールドを一層確実にできる。また、コネクタハウジングの外部のグランド用の導電性部材と遮蔽壁との電気導通を確保する電気導通用接続部、並びに、シャッター付き光コネクタの外に存在するグランド用の導電性部材とシャッター片との電気導通を確保する電気導通用接続部としては、例えば、前記導電性を付与したハウジング本体、あるいは、コネクタハウジングに組み込んだ通電ピン等の導電性金属部材など、各種構成が採用可能である。
【００１８】
遮蔽壁の窓は、光コネクタと被接続側光コネクタとの接続を可能にするためのものであるが、この窓は、電磁波シールド性の確保の点では、出来るだけ小さく形成することが好ましい。これにより、窓に相当する僅かな部分を除いて、コネクタ取付穴の大部分を覆うように遮蔽壁を配置できるため、コネクタ取付穴の防塵性および電磁波シールド性を効果的に確保できる。遮蔽壁に形成する窓は、少なくとも、前記光コネクタ先端のフェルール及び／又は前記被接続側光コネクタ先端のフェルールが挿通可能な大きさとすれば良い。
なお、ここで、光コネクタあるいは被接続側光コネクタの「フェルール」とは、ＭＰＯ形光コネクタやＳＣ形光コネクタ等の各種光コネクタプラグのハウジング先端に突出するフェルールの他、例えば、光コネクタプラグのハウジング先端に、合成樹脂製のハウジングと一体に形成されてフェルールとして機能する部分なども含まれる。
【発明の効果】
【００１９】
本発明によれば、シャッター片付きのインナーハウジングをハウジング本体に組み込むだけで、コネクタハウジング内にシャッター片を設けることができる。また、この構成であれば、インナーハウジングをハウジング本体から取り出した状態で、インナーハウジングに対するシャッター片の取付作業を効率良く行える利点がある。また、光コネクタの種類やサイズ等に対応して、インナーハウジングやシャッター片を選択使用するといったことも可能であり、光コネクタの種類やサイズ等に対応して汎用性を確保できる。ハウジング本体に対して、本発明に係るインナーハウジング（シャッター付きのインナーハウジング）と、シャッターの無いインナーハウジングとを選択して組み込むといったことも可能となる。また、インナーハウジングをハウジング本体の外側から組み込めるようになっている構成を採用することで、取付壁等の取付対象物にコネクタハウジングを取り付けた後でも、ハウジング本体へのインナーハウジングの挿入、シャッター付き光コネクタの組み立てが可能であるといった利点がある。
さらに、この本発明のシャッター付き光コネクタによれば、導電性を有する遮蔽壁を具備するコネクタハウジングを採用することで電磁波シールド性を確保でき、取付壁のコネクタ取付穴に取り付けるだけで、コネクタ取付穴の電磁波シールド性を確保できる。しかも、遮蔽壁の窓を介して、光コネクタと被接続側光コネクタとの接続を実現できる。
【発明を実施するための最良の形態】
【００２０】
以下、本発明を実施したシャッター付き光コネクタについて図面を参照して説明する。
【００２１】
図１（ａ）〜（ｄ）は本発明の第１実施形態のシャッター付き光コネクタ１０の外観を示す図、図２は機器の筐体１１の取付壁１２（パネル）に対するシャッター付き光コネクタ１０の取付状態を示す図であって取付壁１２に開口されたコネクタ取付穴１３付近を示す断面図、図３は図２のシャッター付き光コネクタ１０の取付壁１２に対する取付状態を筐体１１外側から見た斜視図、図４は取付壁１２に形成されたコネクタ取付穴１３を示す斜視図、図５は図２のシャッター付き光コネクタ１０の取付壁１２に対する取付状態を筐体１１内側から見た斜視図、図６はシャッター付き光コネクタ１０の構造を示す分解図、図７はコネクタハウジング１５に内蔵したシャッター片３０と光コネクタ１６との関係を示す断面図である。
【００２２】
図６に示すように、前記シャッター付き光コネクタ１０は、光コネクタアダプタを構成するコネクタハウジング１５の内部に、シャッター片３０を有する構成になっている。前記コネクタハウジング１５は、一対のハウジング半体１４Ａ、１４Ｂを接合、一体化して組み立てられる構造のハウジング本体１４内に、２つのインナーハウジング５１（以下、区別のため一方に符号５１Ａ、他方に５１Ｂを付して説明する場合がある）と、コネクタハウジング１５内の遮蔽壁を構成する導電性の遮蔽板５２とを収容した構成になっている。ハウジング半体１４Ａ、１４Ｂには、インナーハウジング５１が一つずつ収容されるようになっており、一方のハウジング半体１４Ａには符号５１Ａのインナーハウジング５１が収容され、他方のハウジング半体１４Ｂには符号５１Ｂのインナーハウジング５１が収容される。また、遮蔽板５２は、一対のインナーハウジング５１Ａ、５１Ｂの間に挟み込むようにして、コネクタハウジング１５内に収容されるようになっている。また、ここでは、遮蔽板５２は、ハウジング半体１４Ａ、１４Ｂに収容したインナーハウジング５１の端部と、ハウジング半体１４Ａ、１４Ｂの接合端面１４ｉ（後述）との間に生じる若干の段差（具体的には、インナーハウジング５１の端面５１ｄが、若干の段差を以て、接合端面１４ｉから窪んだ形状の凹所の底面を形成する）を利用して位置決めされるようになっているが、インナーハウジング５１Ａ、５１Ｂ同士の間、あるいは、ハウジング半体１４Ａ、１４Ｂ同士の間において遮蔽板５２を位置決めするための構成としては、これに限定されず、例えば、インナーハウジング５１Ａ、５１Ｂとの凹凸嵌合、ハウジング半体１４Ａ、１４Ｂとの凹凸嵌合等、各種採用可能である。
【００２３】
図１（ａ）〜（ｄ）において、前記コネクタハウジング１５は、ＭＰＯ形光コネクタ（ＭＰＯ：Multifiber Push-On。例えばＪＩＳ  Ｃ  ５９８２、ＩＥＣ  １７５４−７発行に制定されるもの）の光コネクタアダプタであり、内部を貫通するコネクタ穴１４ａを有するスリーブ状の概略構造に形成されている。
【００２４】
ハウジング本体１４の各ハウジング半体１４Ａ、１４Ｂは、全体がカーボンフィラーなどの電磁波吸収作用を有する微細粉を含有した導電性樹脂製の一体成形品であり、本体スリーブ１４ｂと、この本体スリーブ１４ｂの軸方向一端から対向する両側に突設された突片１４ｃとを有している。そして、ハウジング本体１４は、一対のハウジング半体１４Ａ、１４Ｂを軸方向に直列に接合、一体化して組み立てられるようになっている。
【００２５】
一対のハウジング半体１４Ａ、１４Ｂは、突片１４ｃが形成されている側の端部（本体スリーブ１４ｂの軸方向一方の端部。以下、接合端面側の軸方向端部という場合がある）同士を接合して一体化されるようになっており、これにより、各ハウジング半体１４Ａ、１４Ｂの突片１４ｃ同士の重ね合わせによって構成された突片１４Ｃが軸方向中央部（コネクタ穴１４ａ軸方向）の対向する両側に突設されたハウジング本体１４が組み立てられる。
【００２６】
また、図６に示すように、一対のハウジング半体１４Ａ、１４Ｂは、突片１４ｃが形成されている側の端面（接合端面１４ｉ）に形成されている嵌合突起（図示略）と嵌合穴（図示略）との嵌合によって、コネクタ穴同士が連通するように位置決めして一体化されるようになっているが、ハウジング半体１４Ａ、１４Ｂ同士を位置決めして一体化、固定する構成としては各種採用可能である。また、二つのハウジング半体１４Ａ、１４Ｂを一体化したときに、各ハウジング半体１４Ａ、１４Ｂの突片１４ｃに形成されているネジ穴１４ｖ（図２、図３等ではネジ穴１４ｖの図示を略している）を連通させ、これらネジ穴１４ｖにネジを挿通させて締め付け固定することによっても、ハウジング半体１４Ａ、１４Ｂの位置決め、一体化を実現できる。各ハウジング半体１４Ａ、１４Ｂの突片１４ｃのネジ穴１４ｖに連通させるネジは、ハウジング半体１４Ａ、１４Ｂを一体化して構成されるハウジング本体１４を、例えば図２、図３に例示した筐体１１の壁等の取付壁１２等に取り付けるための固定部材を兼ねさせることができる。また、ハウジング半体１４Ａ、１４Ｂ同士は、適宜、ネジ、クランプなどの機械的手段や、接着剤などを用いて、一体化状態に固定する。
【００２７】
図１（ｃ）、（ｄ）、図６などにおいて、符号５１ｂは、インナーハウジング５１に突設された係合爪（弾性爪）であり、ハウジング本体１４に挿入、接続される光コネクタ１６Ａ、１６Ｂ（図３、図５参照。ここではＭＰＯ形光コネクタ（例えばＪＩＳ  Ｃ  ５９８２、ＩＥＣ  １７５４−７発行に制定されるもの）の光コネクタプラグ。以下、光コネクタ１６Ａ、１６Ｂについて共通の構成について説明する場合に、符号１６を付して説明する場合がある）のスリーブ状のハウジング１７の側部に形成されている係合部１７ｃ（図７参照。係合突起）に係脱可能に係合する。ここでは、光コネクタ１６Ｂが、被接続側光コネクタとして機能させる光コネクタであり、以下、被接続側光コネクタ１６Ｂと称する場合がある。なお、ＭＰＯ形光コネクタプラグ同士を位置決めして接続するためのガイドピン１９ｃは、被接続側光コネクタ１６Ｂのフェルール１９に組み込まれている。
ここでは、光コネクタとして多心用のＭＰＯ形光コネクタの光コネクタプラグを例示するが、ここで採用可能なＭＰＯ形光コネクタプラグとしては単心用のものであっても良い。
【００２８】
図６に示すように、インナーハウジング５１は、前記係合爪５１ｂが一体に形成されているスリーブ状のインナー本体部５１ａを有する部材であり、ＭＰＯ形光コネクタの光コネクタアダプタに適用できるものであるが、シャッター片３０が取り付けられている点で、周知のＭＰＯ形光コネクタと相違する。各インナーハウジング５１Ａ、５１Ｂの係合爪５１ｂの本体スリーブ１４ｂ内面（コネクタ穴１４ａ内面）に沿って延在する部分と、本体スリーブ１４ｂ内面との間には、光コネクタ１６の係合部１７ｃに対する係合爪５１ｂの係脱を可能にするための若干のクリアランスが確保されている。
【００２９】
ハウジング本体１４内に収容したインナーハウジング５１は、ハウジング半体１４Ａ、１４Ｂ内面形状（例えば、図６中、符号１４ｇのキー溝と、インナー本体部５１ａの側部に突設されているキー５１ｆとの係合など）によって位置決めされ、また、端面５１ｄ付近にてインナー本体部５１ａの側部に突設されているフランジ部５１ｈが、ハウジング半体１４Ａ、１４Ｂとの係合によって、インナーハウジング５１がコネクタ穴１４ａの軸方向端部の開口部１４ｅからハウジング本体１４の外へ抜け出ることを防止する抜け止めストッパとして機能する。前記抜け止めストッパとしては、前記フランジ部５１ｈに限定されず、各種構成が採用可能であることは言うまでも無い。また、インナーハウジング５１の内側の貫通穴であるコネクタ挿入穴５１ｇは、軸方向が、ハウジング本体１４のコネクタ穴１４ａと一致され、コネクタハウジング１５内においてコネクタ穴１４ａの一部区間を構成する。
また、符号５１ｃは、前記ハウジング１７の側部に突設されているキー１７ａが挿入されるキー溝である。このキー溝５１ｃの形成位置は、両ハウジング半体１４Ａ、１４Ｂで相対的に逆向きになっている。ハウジング本体１４は、ハウジング１４Ａ、１４Ｂをキー溝５１ｃの向きが相対的に逆になるようにして、一体化して形成される。
【００３０】
ＭＰＯ形光コネクタの光コネクタプラグである光コネクタ１６と、ハウジング本体１４（より具体的にはハウジング半体）内のインナーハウジング５１とは、インナーハウジング５１に光コネクタ１６を挿入したときに、光コネクタ１６のハウジング１７の側部の係合部１７ｃに、インナーハウジング５１の係合爪５１ｂの本体スリーブ１４ｂからの突出先端の係合突起５１ｅが係合して、この係合の解除を阻止してハウジング半体から光コネクタ１６が引き抜かれないようにするロックが掛かり、光コネクタ１６に付いているスライド片（カップリング１８）を引くと、ロックを解除させながら、ハウジング本体１４（ハウジング半体）から光コネクタ１６を抜き去ることができる、スライドロック構造を構成する。
なお、係合爪５１ｂは、光コネクタ１６の種類や、ハウジング１７のサイズや、ハウジング１７の側部に形成されている係合部の形状などによって適宜変更される。図２、図３、図５などでは係合爪５１ｂの図示を省略している。
【００３１】
次に、図６、図７を参照して、シャッター片３０の構成について説明する。
前記シャッター片３０は、ここでは、一枚の金属板から曲げなどの成形によって形成された板バネ状の部材であって、曲げ加工した基端部３１を、インナーハウジング５１（具体的にはインナー本体部５１ａ）のシャッター固定部５１ｉに係合等によって固定して、インナーハウジング５１に対して取り付けられている。このシャッター片３０の前記基端部３１から、コネクタ挿入穴５１ｇ内に突出する舌片状の部分は、被接続側光コネクタ１６Ｂの先端に露出する光ファイバ１９ａからの出射光を遮光する遮光板部３２として機能する。なお、ここに例示する実施の形態では、シャッター片を形成する金属板は、導電性を有するステンレス板等の導電性のものである。
【００３２】
次に、遮蔽板５２について説明する。この遮蔽板５２は、ステンレス板等の導電性の金属板によって形成されており、コネクタハウジング１５において、コネクタ穴１４ａを横切るように組み込まれる。ただし、コネクタ穴１４ａは、遮蔽板５２の中央部に貫通して形成されている窓５２ａによって連通されており、遮蔽板５２は、コネクタ穴１４ａに対向する両側から挿入して接続される光コネクタ１６Ａ、１６Ｂ同士の接続の邪魔にならない。このシャッター付き光コネクタ１０では、コネクタ穴１４ａに対向する両側から挿入された光コネクタ１６Ａ、１６Ｂの先端同士（具体的にはフェルール１９同士）が、丁度、前記遮蔽板５２の窓５２ａ付近で突き合わせ接続されるようになっている。
遮蔽板５２の窓５２ａには、光コネクタ１６Ａのハウジング１７が通過可能な大きさが確保されているが、電磁波シールド性の確保の点では（後述）、前記窓５２ａは出来る限り小さくすることがより好ましく、図６、図７の例では、光コネクタ１６Ａ、１６Ｂのフェルール１９を僅かなクリアランスを以て挿入可能（ハウジング１７は挿通不可能）な大きさに形成されている。
なお、遮蔽板５２の材質は、前述した金属に限定されず、例えば、全体がカーボンフィラーなどの電磁波吸収作用を有する微細粉を含有した導電性樹脂による一体成形品なども採用可能である。
【００３３】
また、図７では、被接続側光コネクタ１６Ｂのフェルール１９が、遮蔽板５２の窓５２ａに挿入されて、ハウジング半体１４Ａの側に突出して設けられている構成を例示しているが、これに限定されず、被接続側光コネクタ１６Ｂのフェルール１９の位置は、ハウジング半体１４Ａの側からコネクタハウジング１５に挿入した光コネクタ１６Ａ先端のフェルール１９との接続が可能な位置であればよく、窓５２ａからハウジング半体１４Ａの側に必ず突出させる必要性は無い。
【００３４】
前述したように、シャッター片３０の遮光板部３２は、インナーハウジング５１のインナー本体部５１ａからコネクタ挿入穴５１ｇに突出する舌片状の小板片であり、シャッター付き光コネクタ１０に光コネクタ１６Ａが挿入されていないときには、図７中、符号３２ａで示すように、基端部３１から、コネクタ半体１４Ｂの側（被接続側光コネクタ１６Ｂが接続される側）に向けて傾斜する姿勢（この位置を、以下「遮光位置」とも言う）を保っているが、コネクタハウジング１５に挿入した光コネクタ１６Ａを被接続側光コネクタ１６Ｂに接続するべく、被接続側光コネクタ１６Ｂに向けて押し込んでいくと、この光コネクタ１６によって押し倒されて、被接続側光コネクタ１６Ｂに対する光コネクタ１６Ａの接続作業の障害にならないようになっている（このときの位置（符号３２ｂ）を、以下「待避位置」とも言う）。また、コネクタハウジング１５に対して、被接続側光コネクタ１６Ｂに対する接続可能位置に押し込まれていた光コネクタ１６Ａを、コネクタハウジング１５から抜き出すと、シャッター片３０自身の弾性によって、遮光板部３２が遮光位置３２ａに弾性復帰する。
【００３５】
遮光板部３２が遮光位置３２ａにあるときは、コネクタ穴１４ａの片側の開口部から先行して挿入接続された光コネクタ１６Ｂ先端（詳細には光コネクタ１６先端の接合端面１９ｂ。この光コネクタ１６Ｂを被接続側光コネクタとする）に露出する光ファイバ１９ａからの出射光が遮光板部３２によって遮光されて、コネクタ穴１４ａの反対側の開口部から飛び出ることが防止される。したがい、例えば、ハウジング半体１４Ｂの開口部（図７の右側）からハウジング本体１４に光コネクタ１６Ｂを挿入した後、ハウジング半体１４Ａの開口部（図７の左側）からコネクタハウジング１５に光コネクタ１６Ａを挿入接続する場合、光コネクタ１６Ａのコネクタ穴１４ａへの挿入、接続作業の際に、被接続側光コネクタからの出射光が邪魔になるといった不都合が無く、接続作業を効率良く行える。
【００３６】
（コネクタ取付穴の電磁波シールドについて）
この実施形態のシャッター付き光コネクタ１０では、ハウジング本体１４、シャッター片３０、インナーハウジング５１、遮蔽板５２として導電性を有するものを採用したことにより、例えば、図２〜図４に例示した筐体１１の取付壁１２に取り付けた場合に、コネクタ取付穴１３の電磁波シールド性能を良好に確保できる。
この実施形態では、電磁波シールド機能を有するハウジング本体１４、並びに、インナーハウジング５１として、カーボンフィラーを成形樹脂中に混入分散した合成樹脂材料によって成形したものを採用したが、これに限定されず、例えば、合成樹脂などからなる基材に導電性の塗料（例えば、電磁波吸収作用を持つ磁性金属粉を混入したペーストなど）を塗布して形成した導電性塗膜を有するもの、導電性繊維（金属繊維など）からなる導電性布帛を固定したものなども採用可能である。また、電磁波吸収作用を有する微細粉としては、カーボンフィラーに限定されず、例えばステンレス粉等、各種材料が採用可能である。
【００３７】
この実施形態のシャッター付き光コネクタ１０では、特に、遮蔽板５２が、コネクタ取付穴１３の電磁波シールド性の確保に有効に寄与する。遮蔽板５２は、コネクタ穴１４ａをその断面方向にほぼ全体にわたって塞ぐようになっており、シャッター付き光コネクタ１０を取付壁１２のコネクタ取付穴１３に挿入して取付壁１２に取り付けたときに、コネクタ取付穴１３のほぼ全体を塞ぐように配置される。そして、遮蔽板５２と接触して電気導通可能になっているハウジング本体１４や、ハウジング本体１４に設けた接続回路などによって、遮蔽板５２のグランドを確保しておくことにより、遮蔽板５２を電磁波シールド用の部材として有効に機能させることができ、これにより、コネクタ取付穴１３の電磁波シールド性を確保できる。
【００３８】
また、このシャッター付き光コネクタ１０では、ハウジング本体１４も電磁波シールド機能を有する部材として機能させることができるため、結果的に、フェルール１９外形よりも僅かに大きい程度の窓５２ａの部分を除いて、コネクタ取付穴１３の殆どの部分を電磁波シールド機能を有する部材によって塞ぐことができ、優れた電磁波シールド性が得られる。つまり、このシャッター付き光コネクタ１０が取付壁に取り付けられると、取付壁のコネクタ取付穴がシャッター付き光コネクタ１０によってほぼ隙間無く塞がれた状態となる。
【００３９】
さらに、このシャッター付き光コネクタ１０では、シャッター片３０も導電性部材を採用したことにより、より高い電磁波シールド機能が得られる。つまり、シャッター付き光コネクタ１０に光コネクタ１６を接続していない状態では、シャッター片３０が、窓５２ａを塞ぐようにして配置されるため（遮光位置３２ａ）、このシャッター片３０によって、窓５２ａについても、電磁波シールド性を確保できる。
なお、シャッター片３０については、インナーハウジング５１に固定された基端部３１のインナーハウジング５１側面に突出した部分が導電性のハウジング本体１４と接触することで、ハウジング本体１４を介して、シャッター付き光コネクタ１０の外に存在するグランド用の導電性部材（例えば取付壁１２）との電気導通が確保されて、グランドが確保されるようになっているが、これに限定されず、例えば導電性のインナーハウジング５１とハウジング本体１４との接触を介して、グランド用の導電性部材との電気導通を実現して、グランドが確保される構成も採用可能である。
【００４０】
図１、図２中、符号２０で示すシールドカバーは、ハウジング半体１４Ｂの断面長方形状の本体スリーブ１４ｂ（図１（ｃ）参照）の４側面（周面）の内の３面に対して個別に装着される３つの側板部２０ａ、２０ｂ、２０ｃを有し、全体がステンレスなどの導電性の金属板で形成され、ハウジング半体１４Ｂを３方から取り囲むカバー状の部材である。このシールドカバー２０の３つの側板部２０ａ、２０ｂ、２０ｃは、本体スリーブ１４ｂの３面に形成されている浅溝１４ｐに収納するようにして、本体スリーブ１４ｂの外側に、位置ズレを生じないようにして装着される。このシールドカバー２０は、筐体１１との接触によって電気導通可能に接続されて、電磁波シールド性能を発揮するとともに、電磁波シールド性を有するハウジング本体１４と取付壁１２との電気導通のより確実な確保に寄与する。
【００４１】
このシャッター付き光コネクタ１０を取付壁１２に取り付けるには、このシャッター付き光コネクタ１０を筐体１１の外側（図２中、取付壁１２の左側）から、シールドカバー２０が取り付けられている側（ここではハウジング半体１４Ｂの側）を押し込み方向前側として取付壁１２のコネクタ取付穴１３に押し込んで（図２中、取付壁１２の右側へ向けて押し込む）、このシールドカバー２０の対向する両側に位置する側板部２０ｂ、２０ｃから外側に突出され係合爪２０ｄを弾性変形させつつ取付壁１２に通過させれば良い。係合爪２０ｄは取付壁１２を通過したところで弾性復帰して取付壁１２と係合する。これにより、係止爪２０ｄと突片１４ｃとの間に取付壁１２が挟み込まれて、シャッター付き光コネクタ１０が取付壁１２に対して安定に取り付けられると同時に、取付壁１２との電気導通が確保される。
なお、ハウジング本体１４を介して遮蔽板５２等のグランドを確保する構成であれば、特別な接続回路等をシャッター付き光コネクタ１０に設ける必要が無くなるため、シャッター付き光コネクタの低コスト化に寄与する。
【００４２】
次に、本発明の第２実施形態のシャッター付き光コネクタ１００を、図８〜図１５を参照して説明する。
図８はシャッター付き光コネクタ１００の外観を示す全体斜視図、図９はシャッター付き光コネクタ１００のコネクタハウジング１０１を構成するハウジング本体１０２を示す斜視図、図１０（ａ）〜（ｅ）はハウジング本体１０２の構造を示す図、図１１（ａ）〜（ｅ）はハウジング本体１０３に収容されるインナーハウジング１０３の構造を示す図、図１２はインナーハウジング１０３の構造を示す拡大斜視図、図１３はハウジング本体１０２及びインナーハウジング１０３を破断して示した斜視図、図１４はコネクタハウジング１０１を破断して示した斜視図、図１５はコネクタハウジング１０１の組立方法を模式的に示した図である。
【００４３】
このシャッター付き光コネクタ１００のコネクタハウジング１０１は、ＭＰＯ形光コネクタの光コネクタアダプタを構成するものであり、対向する両側から挿入された光コネクタ１６Ａ、１６Ｂが内部で接続されるようになっている。
このコネクタハウジング１０１は、ハウジング本体１０２内（具体的にはハウジング本体１０２の内部を貫通するコネクタ穴１０２ａ内）に、２つのインナーハウジング１０３（説明の便宜上、インナーハウジング１０３の一方に符号１０３Ａ、他方に符号１０３Ｂを付して説明する場合がある）を収容した構造になっている。
前記ハウジング本体１０２は、１部品によって形成されており、具体的には、全体がカーボンフィラーなどの電磁波吸収作用を有する微細粉を含有した導電性樹脂製の一体成形品であり、導電性を有している。また、このハウジング本体１０２は、コネクタ穴１０２ａが貫通されている本体スリーブ１０２ｂと、この本体スリーブ１０２ｂの軸方向中央部から対向する両側に突設された突片１０２ｃとを有している。また、このハウジング本体１０２は、本体スリーブ１０２ｂの側面に、シールドカバー２０（図示略）を装着するための浅溝１０２ｄを有しており、この浅溝１０２ｄを利用してシールドカバー２０を取り付けたシャッター付き光コネクタ１００は、第１実施形態にて説明したシャッター付き光コネクタ１０と同様に、取付壁１２のコネクタ取付穴１３へ押し込んで、シールカバー２０の係合爪２０ｄ（図示略）を取付壁１２に係合させることで、係合爪２０ｄと突片１０２ｃとの間に取付壁１２を挟み込むようにして、取付壁１２に取り付けることができる。
【００４４】
インナーハウジング１０３は、スリーブ状のインナー本体部５１ａ、並びに、係合爪５１ｄ、キー溝５１ｃ、キー５１ｆ、コネクタ挿入穴５１ｇ、シャッター固定部５１ｉを有する点は、前述のシャッター付き光コネクタ１０のインナーハウジング５１と同様であり、また、シャッター片３０が取り付けられている点も、シャッター付き光コネクタ１０のインナーハウジング５１と同様であるが、ハウジング本体１０２の係合部１０２ｅと係合することで、該インナーハウジング１０３のハウジング本体１０２からの抜け止めの機能を果たす抜け止め用係合部１０３ａを対向する両側部に有する点で、前述のインナーハウジング５１と異なる。
【００４５】
ハウジング本体１０２の係合部１０２ｅは、具体的には、本体スリーブ１０２ｄの対向する両側部において、コネクタ穴１０２ａから窪んだ形状に形成された係合凹所であり、前記インナーハウジング１０３の抜け止め用係合部１０３ａは、スリーブ状のインナー本体部５１ａの対向する両側部に突設された係合突起である。
【００４６】
インナーハウジング１０３をハウジング本体１４内に収容するには、図１５に示すように、ハウジング本体１０２のコネクタ穴１０２ａの軸方向一方の開口部１０２ｆ（図１３等参照）から、２つのインナーハウジング１０３の内の一方を挿入し、他方のインナーハウジング１０３を前記コネクタ穴１０２ａの軸方向他方の開口部１０２ｆから挿入する。インナーハウジング１０３は、両側の抜け止め用係合部１０３ａ（係合突起）を、ハウジング本体１０２の内側（コネクタ穴１０２ａ内面）に形成された挿入用溝１０２ｈに挿入し、また、キー５１ｆを、ハウジング本体１０２の内側（コネクタ穴１０２ａ内面）に形成されたキー溝１０２ｊに挿入し、シャッター固定部５１ｉを、ハウジング本体１０２内側にて前記キー溝１０２ｊに対面する位置に形成された固定部ガイド溝１０２ｋに挿入して、ハウジング本体１０２ａに押し込んでいく。挿入用溝１０２ｈ及びキー溝１０２ｊ及び固定部ガイド溝１０２ｋは、コネクタ穴１０２ａの開口部１０２ｆからコネクタ穴１０２ａの軸方向に沿って延在しており、インナーハウジング１０３は、前記挿入用溝１０２ｈ及びキー溝１０２ｊ及び固定部ガイド溝１０２ｋをガイドとして、ハウジング本体１０２ａへの押し込みを円滑に行える。
インナーハウジング１０３の押し込みを継続していくと、両側の抜け止め用係合部１０３ａが、ハウジング本体１０２ａの軸方向中央部にてハウジング本体１０２ａの対向する両側に形成されている係合部１０２ｅに係合する。この係合によって、インナーハウジング１０３が、コネクタ穴１０２ａの開口部１０２ｆから抜け出ることが防止され、ハウジング本体１０２内にインナーハウジング１０３が収容された状態が確実に維持される。
【００４７】
図１３、図１４等において、符号１０２ｇは、ハウジング本体１０２の内部に形成された遮蔽壁である。ここでは、遮蔽壁１０２ｇは、ハウジング本体１０２と一体に形成されたものであり、ハウジング本体１０２と同様、導電性を有するものであり、また、言うまでもなく、ハウジング本体１０２との間の電気導通も確保されている。また、この遮蔽壁１０２ｇは、ハウジング本体１０２の軸方向中央部にて、コネクタ穴１０２ａを横切るようにして形成されている。但し、コネクタ穴１４ａは、遮蔽壁１０２ｇの中央部に貫通して形成されている窓１０２ｉによって連通されており、遮蔽壁１０２ｇは、コネクタ穴１０２ａに対向する両側から挿入して接続される光コネクタ１６Ａ、１６Ｂ同士の接続の邪魔にならない。また、遮蔽壁１０２ｇも含めて１部品として形成されたハウジング本体１０２であれば、部品点数が少なく、シャッター付き光コネクタの低コスト化も容易となる。
【００４８】
このシャッター付き光コネクタ１００では、コネクタ穴１０２ａに対向する両側から挿入された光コネクタ１６Ａ、１６Ｂの先端同士（具体的にはフェルール１９同士）が、丁度、前記遮蔽壁１０２ｇの窓１０２ｉ付近で突き合わせ接続されるようになっている。
遮蔽壁１０２ｇの窓１０２ｉには、光コネクタ１６Ａのハウジング１７が通過可能な大きさが確保されているが、この窓１０２ｉについても、電磁波シールド性の確保の点で、出来る限り小さくすることがより好ましいことは、第１実施形態と同様である。
なお、ここでは、ハウジング本体１０２及びインナーハウジング１０３は第１実施形態のハウジング本体、インナーハウジングと同様の材質によって形成されて、導電性を有しており、また、シャッター片３０についても、第１実施形態と同様に導電性を有しており、シャッター付き光コネクタ１００の外に存在するグランド用の導電性部材（例えば取付壁１２）とハウジング本体１０２との間の電気導通の確保等によって、遮蔽壁１０２ｇのグランドの確保を容易に実現できることも、第１実施形態と同様である。
【００４９】
また、このシャッター付き光コネクタ１００は、取付壁１２のコネクタ取付穴１３に取り付ければ、フェルール１９外形よりも僅かに大きい程度の窓１０２ｈの部分を除いて、コネクタ取付穴１３の殆どの部分を電磁波シールド機能を有する部材によって塞ぐことができ、優れた電磁波シールド性が得られる点、シャッター片３０も導電性部材を採用したことにより、シャッター付き光コネクタ１０に光コネクタ１６を接続していない状態では、窓１０２ｈを塞ぐようにして配置されるシャッター片３０（遮光位置３２ａ）によって、窓１０２ｈについても、電磁波シールド性を確保できる点、も第１実施形態と同様である。
【００５０】
図８、図１４等に示すように、インナーハウジング１０３には、光コネクタ１６Ａによって押し倒しされたシャッター片３０（待避位置３２ｂ）を収容するシャッター片収容溝１０３ｂがキー溝５１ｃとは別に、コネクタ挿入穴５１ｇの中心軸線を介してキー溝５１ｃと対面する位置に形成されている。ここで、シャッター片収容溝１０３ｂは、インナーハウジング１０３のスリーブ状のインナー本体部５１ａの一部を切り欠いた形状であり、光コネクタ１６Ａによって押し倒しされたシャッター片３０がシャッター片収容溝１０３ｂ（待避位置３２ｂ）に入り込めば、光コネクタ１６Ａとの干渉を確実に回避できる。
【００５１】
遮蔽壁１０２ｇの位置は、シャッター付き光コネクタ１０に挿入接続された被接続側光コネクタ１６Ｂのフェルール１９が、窓１０２ｉに挿入される位置であるが、これに限定されず、光コネクタ１６Ａ、１６Ｂ先端のフェルール１９同士の接続が可能な位置であればよい。
【００５２】
なお、本発明は、前述の実施形態に限定されず、各種変更が可能である。
例えば、シャッター片の具体的形状は、前述の実施形態に例示したものに限定されず、適宜設計変更可能である。
また、前記実施形態では、ＭＰＯ形光コネクタの光コネクタプラグ同士の接続に用いられる光コネクタアダプタへの適用例を例示したが、本発明はこれに限定されず、ＭＰＯ形光コネクタ以外の光コネクタプラグ同士の接続に用いられる光コネクタアダプタに適用可能である。また、光コネクタアダプタに限定されず、例えば光コネクタレセプタクルなど、光コネクタプラグが挿入、接続されるコネクタ穴を有する各種光コネクタに適用可能である。
シャッター片のグランドを確保するための構成としては、例えば、別途配線されたグランド用の電線との接続など、各種採用可能である。
シャッター付き光コネクタの取り付け対象の取付壁としては、機器の筐体の一部に限定されず、例えば、光配線盤などの架体において光コネクタアダプタなどの光コネクタを実装するためのパネルなど、各種構成が採用可能である。
【産業上の利用可能性】
【００５３】
シャッター片付きのインナーハウジングをハウジング本体に組み込む構成であるから、多種多様な光コネクタに対して幅広く適用でき、遮光性能や電磁波シールド性能を付与できる。
【図面の簡単な説明】
【００５４】
【図１】本発明の第１実施形態のシャッター付き光コネクタの外観を示す図であって、（ａ）は平面図、（ｂ）は左側面図、（ｃ）は正面図、（ｄ）は右側面図である。
【図２】機器の筐体の取付壁（パネル）に対するシャッター付き光コネクタの取付状態を示す図であって、取付壁に開口されたコネクタ取付穴付近を示す断面図である。
【図３】図２のシャッター付き光コネクタの取付壁に対する取付状態を筐体外側から見た斜視図である。
【図４】取付壁に形成されたコネクタ取付穴を示す斜視図である。
【図５】図２のシャッター付き光コネクタの取付壁に対する取付状態を筐体内側から見た斜視図である。
【図６】シャッター付き光コネクタの構造を示す分解図である。
【図７】コネクタハウジングに内蔵したシャッター片と光コネクタとの関係を示す断面図である。
【図８】シャッター付き光コネクタの外観を示す全体斜視図である。
【図９】シャッター付き光コネクタのコネクタハウジングを構成するハウジング本体を示す斜視図である。
【図１０】（ａ）〜（ｅ）はハウジング本体の構造を示す図である。
【図１１】（ａ）〜（ｅ）はハウジング本体に収容されるインナーハウジングの構造を示す図である。
【図１２】インナーハウジングの構造を示す拡大斜視図である。
【図１３】ハウジング本体及びインナーハウジングを破断して示した斜視図である。
【図１４】コネクタハウジングを破断して示した斜視図である。
【図１５】コネクタハウジングの組立方法を模式的に示した図である。
【図１６】本発明に係るシャッター付き光コネクタを適用した光コネクタレセプタクルを示す断面図であり、（ａ）はコネクタハウジングに別体の被接続側光コネクタを組み込んだ構成、（ｂ）はコネクタハウジングと一体に被接続側光コネクタを形成した構成を示す。
【図１７】光コネクタアダプタを介した光コネクタプラグの接続を示す断面図である。
【図１８】機器の筐体の取付壁（パネル）に対する光コネクタアダプタの取付状態を示す斜視図である。
【図１９】図１８の取付壁に開口されたコネクタ取付穴を示す斜視図である。
【図２０】図１８の光コネクタアダプタの取付壁に対する取付状態を示す図であって、コネクタ取付穴付近を示す断面図である。
【符号の説明】
【００５５】
１０，１００…シャッター付き光コネクタ、１２…グランド用の導電性部材（取付壁）、１４，４１，１０２…ハウジング本体、１４ａ，４６，１０２ａ…コネクタ穴、１４ｅ，１０２ｆ…コネクタ穴の軸方向両端の開口部、１５，４５ｈ，１０１…コネクタハウジング、１６Ａ…光コネクタ、１６Ｂ，４８，４９…被接続側光コネクタ、１９ａ…光ファイバ、３０，４０…シャッター片、３２ｂ…待避位置、４０ａ…遮光板部、４０ｂ…基端部、４２，５１，５１Ａ，５１Ｂ，１０３，１０３Ａ，１０３Ｂ…インナーハウジング、５１ｇ…コネクタ挿入穴、５２，１０２ｇ…遮蔽壁、５２ａ，１０２ｉ…窓。
【図１】
2005062580.tif 000003
【図２】
2005062580.tif 000004
【図３】
2005062580.tif 000005
【図４】
2005062580.tif 000006
【図５】
2005062580.tif 000007
【図６】
2005062580.tif 000008
【図７】
2005062580.tif 000009
【図８】
2005062580.tif 000010
【図９】
2005062580.tif 000011
【図１０】
2005062580.tif 000012
【図１１】
2005062580.tif 000013
【図１２】
2005062580.tif 000014
【図１３】
2005062580.tif 000015
【図１４】
2005062580.tif 000016
【図１５】
2005062580.tif 000017
【図１６】
2005062580.tif 000018
【図１７】
2005062580.tif 000019
【図１８】
2005062580.tif 000020
【図１９】
2005062580.tif 000021
【図２０】
2005062580.tif 000022